(57)【特許請求の範囲】
【請求項１】
複数の階層を備え、平面視においてドーナツ型に形成された玩具本体と、玩具本体の中央の空洞部を上下動可能に設けられたエレベータとからなるとともに、以下の要件を備えたことを特徴とする駐車場玩具。
（イ）玩具本体の空洞部にはラックレールが垂直に設けられているとともに、エレベータの側面には上記ラックレールに噛合する歯車が設けられていること
（ロ）玩具本体の各階層の底部にはターンテーブルが回転自在に設けられ、ターンテーブルの上部には複数の格納部が周方向に沿って設けられていること
（ハ）エレベータの上面には自動車玩具の載置台が設けられていること
（ニ）エレベータには上記歯車を回転させる駆動装置と、上記載置台上の自動車玩具を排出させる排出装置とを備え、エレベータの側面には上記駆動装置と排出装置のスイッチが露出して設けられていること
（ホ）上記玩具本体には、上記駆動装置と排出装置のスイッチを押圧可能な作動杆が設けられていること
【請求項２】
前記エレベータの駆動装置には、前記歯車の回転を停止させる停止スイッチが設けられているとともに、前記玩具本体の各階層には、上記エレベータが昇降したときに上記停止スイッチに係合して押圧可能な凸部を設けた、請求項１記載の駐車場玩具。
【請求項３】
前記最下部の階層には、自動車玩具を前記空洞部に出し入れする導入口と排出口とが形成されている、請求項１記載の１又は２に記載の駐車場玩具。
【請求項４】
前記玩具本体には、前記格納部内の自動車玩具を空洞部側に移動させる移動機構が設けられている、請求項１記載の１、２又は３に記載の駐車場玩具。
【請求項５】
前記玩具本体は、階層毎に分割可能に構成されている、請求項１記載の１、２、３又は４に記載の駐車場玩具。
【発明の詳細な説明】
【０００１】
【発明の属する技術分野】
本発明は複数の自動車玩具を格納できる駐車場玩具に関する。
【０００２】
【従来技術】
一般に、自動車玩具は床などの上を走行させて遊ぶものであるが、そのデザインは実車に基づいて製作されるため、年月が経過するうちにその種類は非常に多くなり、最近は走行遊びをするほか、コレクションを楽しむ傾向も強くなっている。
【０００３】
これに応じて、自動車玩具の格納を、単なるコレクションケースではなく、駐車場玩具に格納して出し入れすることが好まれるようになっている。
【０００４】
【発明が解決しようとする課題】
しかしながら、駐車場玩具は駐車場の形状を有していればよいわけではない。自動車玩具を場内に誘導したり、場内から排出したりする機構が設けられたものが望まれている。
【０００５】
本発明は上記問題点を解消し、内部にエレベータを設けることによって自動車玩具の昇降や格納、排出を行なうことができる駐車場玩具を提供することをその課題とする。
【０００６】
【課題を解決するための手段】
前記課題を解決するため、本発明に係る駐車場玩具は、複数の階層を備え、平面視においてドーナツ型に形成された玩具本体と、玩具本体の中央の空洞部を上下動可能に設けられたエレベータとからなるとともに、以下の要件を備えたことを特徴とする。
（イ）玩具本体の空洞部にはラックレールが垂直に設けられているとともに、エレベータの側面には上記ラックレールに噛合する歯車が設けられていること
（ロ）玩具本体の各階層の底部にはターンテーブルが回転自在に設けられ、ターンテーブルの上部には複数の格納部が周方向に沿って設けられていること
（ハ）エレベータの上面には自動車玩具の載置台が設けられていること
（ニ）エレベータには上記歯車を回転させる駆動装置と、上記載置台上の自動車玩具を排出させる排出装置とを備え、エレベータの側面には上記駆動装置と排出装置のスイッチが露出して設けられていること
（ホ）上記玩具本体には、上記駆動装置と排出装置のスイッチを押圧可能な作動杆が設けられていること
【０００７】
なお、前記エレベータの駆動装置には、前記歯車の回転を停止させる停止スイッチが設けられているとともに、前記玩具本体の各階層には、上記エレベータが昇降したときに上記停止スイッチに係合して押圧可能な凸部を設けるのが好ましい。
【０００８】
また、前記最下部の階層には、自動車玩具を前記空洞部に出し入れする導入口と排出口とを形成するのがよい。
【０００９】
さらに、  前記玩具本体には、前記格納部内の自動車玩具を空洞部側に移動させる移動機構を設けるのが望ましい。
【００１０】
また、前記玩具本体は、階層毎に分割するのが望ましい。
【００１１】
【発明の実施の形態】
図１は駐車場玩具の斜視図で、この駐車場玩具は複数の階を備え、平面視においてドーナツ型に形成された玩具本体１と、玩具本体１の中央の空洞部ａを上下動可能に設けられたエレベータ２とから構成されている。
【００１２】
玩具本体１は、階毎に分割されている。二階部と三階部の底部にはターンテーブル３が回転自在に設けられ、ターンテーブル３には複数の格納部４が周方向に沿って設けられている。そして、二階部と三階部にはターンテーブル３の回転機構が設けられている。二階部の回転機構は、玩具本体１の外側に操作ダイヤル５を配置し、操作ダイヤル５によって回転する歯車６がターンテーブル３の外周に形成された歯（図示せず）に噛合し、操作ダイヤル５を回転することによってターンテーブル３が回転するように構成されている。三階部の回転機構は、図２のようにレバー８を左右に移動させることにより、左に移動させたときだけレバー８がターンテーブル３に係合するように構成されている。
【００１３】
一階部には、自動車玩具を前記空洞部ａに出し入れする導入部９と排出部１０とが形成されている。導入部９の底面は空洞部ａに向かって低く、排出部１０の底面は外側に向かって低く形成されている。
【００１４】
図２、図３に示されるように、玩具本体１の空洞部ａには対向する位置に１対のラックレール１１が垂直に設けられている。
【００１５】
なお、玩具本体１には、前記格納部４内の自動車玩具を空洞部ａ側に移動させる移動機構が設けられている。この移動機構は、図２に示されるように、ターンテーブル３の各格納部４の中央には玩具本体１の半径方向に形成された摺動溝１２に沿って摺動可能に設けられた摺動軸１３と、該摺動軸１３を作動させる操作レバー１４とによって構成されている。通常は摺動軸１３はターンテーブル３から退避する外側位置にあり、操作レバー１４も一方の移動端にバネ付勢されており、操作レバー１４を他方の移動端に移動させることにより、摺動軸１３は外側から内側、つまり空洞部ａ側に摺動するようになっている。
【００１６】
次に、エレベータ２には円盤状に形成された円盤部１５と、その上に回動自在に設けられた自動車玩具の載置台１６とが配置されている。そして、その直径方向の両端部には切欠き溝１７が形成され、その内側面には上記ラックレール１１に噛合する歯車１８（図３参照）が配置されている。
【００１７】
円盤部１５には上記歯車１８を回転させる駆動装置が設けられている。この駆動装置は、電池によって正逆回転するモータ２０と、モータ２０と上記歯車１８とを作動連結する中間歯車１９とによって構成されている。
【００１８】
ところで、上記モータ２０の回転と停止は、図４に示される略半円形の接点部材２１によって制御されている。つまり、円盤部１５の上面には半円形の接点部材２１が軸２２を中心に接点部２３が左右に揺動可能に配置されている。この接点部材２１が右又は左に揺動したときは、モータ２０が正転又は逆転するようにスイッチオンされる。接点部材２１が中央に位置しているときは、モータ２０のスイッチがオフ状態になっている。また、上記接点部材２１の底辺部に各一端が臨むように３個の棒状の正転スイッチ２４、逆転スイッチ２５及び停止スイッチ２６が並んで配置され、それぞれ接点部材２１から離反するようにバネ２７で付勢されている。中央の停止スイッチ２６の端部２６ａは二股に分岐形成されている。そして、右の正転スイッチ２４又は左の逆転スイッチ２５（逆でもよい）がバネ２７に抗して押しこまれると、接点部材２１の接点部２３を右又は左に揺動するので、モータ２０が正転又は逆転し、中間歯車１９を介して最終の歯車１８が正又は逆回転する。そのため、エレベータ２はラックレール１１に沿って上昇し又は下降する。これに対し、接点部材２１が右又は左に傾いている状態で、中央の停止スイッチ２６が押し込まれると、図５のように該スイッチの先端二股部２６ａが接点部材２１の傾いている側を押すので、接点部材２１は中央位置に戻り、モータ２０の回転が停止し、エレベータ２も停止する。なお、各棒状スイッチの他端はエレベータ２の側面に露出するように配置されている。また、停止スイッチ２６の他端２６ｂの上下面は傾斜している。
【００１９】
また、エレベータ２の載置台１６の下部には載置台１６上の自動車玩具を排出させる排出装置が設けられている。すなわち、図６に示されるように載置台１６の前方にはアーム２８が設けられ、アーム２８は円盤部１５の前部に設けられた凸部２９の裏側に軸支されている。そして、上記アーム２８の下部には作動リンク３０が揺動可能に配置されている。図７に示されるように、作動リンク３０は棒状の排出スイッチ３１を押すことによって揺動するように設けられ、排出スイッチ３１を押すことにより作動リンク３０が揺動し、アーム２８が押し上げられ、同時に載置台１６が前方に傾き、載置台１６上の自動車玩具Ｍが前方に移動して排出されるようになっている。上記スイッチ３１も上記の駆動装置のスイッチ２４、２５、２６と平行で、エレベータ２の側面に露出するように配置されている。
【００２０】
これに対し、上記玩具本体１の各階には、図４に示されるように上記駆動装置と排出装置のスイッチを押圧可能な作動杆３２、３３、３４が設けられている。作動杆は、上記モータ２０の駆動装置の左右の正逆転スイッチ２４、２５に対応する作動杆３２、３３と、上記自動車玩具Ｍの排出装置を作動させる排出スイッチ３１に対応する作動杆３４の３個である。
【００２１】
なお、上記作動杆３２、３３、３４は、図６に示されるように玩具本体１の外部に上下方向に移動可能に配置された「ＵＰ」ボタン３５と「ＤＯＷＮ」ボタン３６と「ＯＵＴ」ボタン３７とに運動変換機構を介して一体的に連係している。つまり、図７に示すように「ＯＵＴ」ボタン３７を押し下げることによって逆Ｖ字形リンク４３により水平方向に作動するように構成されている。「ＵＰ」ボタン３５と「ＤＯＷＮ」ボタン３６とも同様である。
【００２２】
また、駆動装置用のスイッチとしては、三階部は下降用、二階部は上昇用、下降用であり、また１階は上昇用である。したがって、エレベータ２が各階の所定位置に停止すると、玩具本体１の作動杆とエレベータ２のスイッチとが整合し、玩具本体１の外側からエレベータ２の左右の正逆転スイッチ２５を操作することができる。
【００２３】
ところで、エレベータ２は昇降時に所定の位置に停止するように構成されている。すなわち、図４に示されるように、玩具本体１の各階には、エレベータ２の停止スイッチ２６の端部に対応する位置に、第１の揺動体３８と第２の揺動体３９がそれぞれ回動可能に設けられ、両者は図５のように互いに直線状になって空洞部ａの中心を向く位置と、図４のようにたがいに反対側を向くように連結している。そして、第１の揺動体には空洞部ａに突出する凸部４０が形成され、第２の揺動体３９には空洞部ａと反対側に突部４１が突出形成されている。これに対し、作動杆３２、３３には上記突部４１に係合可能な斜面を有する係合片４２ａ、４２ｂが形成されている。
【００２４】
図８（ａ）（ｂ）に示されるように、第１の揺動体の凸部４０が空洞部ａの中心を向いて突出しているとき、凸部４０は昇降するエレベータ２の停止スイッチ２６の移動軌跡上に位置しているので、やがて昇降時のエレベータ２の停止スイッチ２６の端部２６ｂの斜面が凸部４０の端部に係合する。このため、停止スイッチ２６が押し込まれて図５のように接点部材２１を中央位置に押し戻してモータ２０を停止するので、エレベータ２は停止する。この停止位置で玩具本体１の作動杆３２、３３とエレベータ２のスイッチ２４、２５とが整合する。
【００２５】
次に、左右のいずれかの作動杆（例えば、作動杆３３）を空洞部ａ側に押しこむと、図４に示すように係合片４２ｂが第２の揺動体３９の突部４１に係合して第２の揺動体３９を右方向に揺動させるので、第１の揺動体３８の凸部４０は左に揺動し、そのため上記中央の停止スイッチ２６がバネ２７により元に戻って接点部材２１から退避する。したがって、移動させた右の逆転スイッチ２５が接点部材２１を左に揺動させて歯車１８を逆転させるため、エレベータ２は下降する。左の作動杆３２を押しこむと，エレベータ２は上昇する。
【００２６】
次に、上記構成の駐車場玩具に自動車玩具Ｍを格納するときは、エレベータ２を一階に移動させておき、自動車玩具Ｍを導入部９に入れると、自動車玩具Ｍはそのままエレベータ２の載置台１６上に移動する。次に、「ＵＰ」ボタン３５を押すと、上昇用の作動杆３２が正転スイッチ２４を押し、エレベータ２の歯車を正転させるので、エレベータ２は上昇する。そして、空洞部ａに突出している二階の凸部４０がエレベータ２の停止スイッチ２６に係合してモータ２０が停止するので、エレベータ２も停止する。さらに、エレベータ２を上昇させるときは、二階の「ＵＰ」ボタン３５を押せばよい。そして、所望の階でエレベータ２を停止させたら、「ＯＵＴ」ボタン３７を押す。これにより、排出スイッチ３１が作動し、図６のように載置台１６のアーム２８が前方に傾くので、自動車玩具Ｍは前述のようにエレベータ２から排出されてターンテーブル３上の格納部４に格納される。その後、ターンテーブル３を回転させて自動車玩具Ｍの周方向に位置を移動させればよい。
【００２７】
これに対し、駐車場玩具から自動車玩具Ｍを排出するときは、ターンテーブル３を回転させて排出すべき自動車玩具Ｍをエレベータ２の載置台１６の前部に向き合う位置に移動させる。そして、図２のように玩具本体１の操作レバー１４を点線のように作動して摺動軸１３により自動車玩具Ｍをエレベータ２の載置台１６に送り込む。そして、「ＤＯＷＮ」ボタン３６を押して、エレベータ２を一階に下降させた後、「ＯＵＴ」ボタン３７を押すことにより、載置台１６上の自動車玩具Ｍを排出部１０から排出することができる。
【００２８】
【発明の効果】
請求項１に係る発明によれば、エレベータに自動車玩具Ｍを載置した後、作動杆により玩具本体の空洞部のラックレールに噛合したエレベータの歯車を回転させることによりエレベータは昇降する。そして、エレベータ上の自動車玩具を各階のターンテーブルに排出した後に回転させることにより、自動車玩具の位置を決めることができる。反対に動かせば、各階の自動車玩具を元の位置に戻すことも可能である。
【００２９】
請求項２に係る発明によれば、エレベータが昇降したときに、玩具本体の各階に設けられた凸部に係合して押圧するので、エレベータに設けられた歯車の回転が停止し、エレベータ２を各階で停止させることができる。
【００３０】
請求項３に係る発明によれば、最下部の階には、自動車玩具を空洞部に出し入れする導入口と排出口とが形成されているので、これらの口から自動車玩具の出し入れを行なうことができる。
【００３１】
請求項４に係る発明によれば、玩具本体には、格納部内の自動車玩具を空洞部側に移動させる移動機構が設けられているから、格納部内の自動車玩具を手を使わずにエレベータに移動させることができる。
【００３２】
請求項５に係る発明によれば、玩具本体は、階毎に分割可能になっているので、故障したときなど、各階部を分割して対処することができるので、便利である。
【図面の簡単な説明】
【図１】本発明に係る駐車場玩具の斜視図
【図２】上記駐車場玩具の要部の平面図
【図３】図２のＸ−Ｘ線上の断面を簡略に示した断面図
【図４】スイッチと作動杆とボタンの配置態様を示す平面図
【図５】エレベータの停止スイッチが作動している状態の平面図
【図６】エレベータの自動車玩具排出機構の説明図
【図７】上記排出機構のアームの作動態様説明図
【図８】（ａ）（ｂ）は上記停止スイッチの作動態様説明図
【符号の説明】
１  玩具本体
２  エレベータ
３  ターンテーブル
４  格納部
１１  ラックレール
１６  載置台
１８  歯車
４０  凸部
３２、３３、３４  作動杆
２５、２６、３１  スイッチ
【図１】
0003588066.tif 000002
【図２】
0003588066.tif 000003
【図３】
0003588066.tif 000004
【図４】
0003588066.tif 000005
【図５】
0003588066.tif 000006
【図６】
0003588066.tif 000007
【図７】
0003588066.tif 000008
【図８】
0003588066.tif 000009